Podtech/llm-jp-corpus-v4-ja_patent huggingface dataset:
(57)【要約】      （修正有）【課題】雄犬がする尿を周りに散乱させることなく、また、家の柱、家具等の腐敗、悪臭等の被害を軽減し、衛生的に回収することができるペット用尿吸収ペーパーを提供する事。【解決手段】一方面が非透水性処理を施され、多方面が吸水性を有すると共に、この両面間に介在した保水材によりなした長尺ペーパーを一定長さにて切断できる破断目を形成したことにより、尿を吸収し使用済みになった際、手間なく瞬時に処理ができ、必要な枚数だけを切り離して、他の場所等に使用する事ができる。【選択図】図１
0003113635.tif 000002
【実用新案登録請求の範囲】
【請求項１】
一方面が非透水性処理を施され、多方面が吸水性を有すると共に、この両面間に介在した保水材によりなした長尺ペーパーシートを一定長さにて切断できる破断目を形成したことを特徴とするペット用尿吸収ペーパー。
【請求項２】
長尺ペーパーシートを筒状に巻回したことを特徴とする請求項１記載のペット用尿吸収ペーパー。
【請求項３】
長尺ペーパーシートは一定長さにて切断できる破断目を形成すると共に、非透水性処理が施された側の面に粘着テープが取り付けられていることを特徴とする請求項１または２記載のペット用尿吸収ペーパー。
【考案の詳細な説明】
【技術分野】
【０００１】
本考案は、自宅で飼育されている雄犬等のペットが排泄した尿などを適切に処理するためのペット用尿吸収ペーパーに関する。
【背景技術】
【０００２】
近年高齢化、少子化社会の進展や変化の激しい社会に反映し、癒しまたは、労働犬、盲導犬等の補助を求める傾向が見られ、国内での愛玩犬の飼犬頭数は数万等を越え、今後もこのように人間とペットが共存していく傾向は続くものと考えられる。愛玩犬は卓上犬とも呼ばれ、主として室内で飼育される場合と、主として庭先で飼育される場合とがある。主に家庭で飼育される愛玩犬としては室内で飼育される場合が多く、小型犬および中型犬が増加傾向にある。
【０００３】
また雄犬に関しては、犬の習性によって足を上げて、柱、壁等に用を足してしまうため、他の箇所、家具、家の柱、机等の足しにしてしまい、それが原因となりその部分の腐敗等の損害を被るという問題がある。
【０００４】
このような問題を解決する他の従来の考えは、例えば、今発売されているペット用尿吸収シートを何か物に巻きつけて、輪ゴムまたはテープ等でとめるということなどが推理できる。そうする事によって処理できると考えられる。
【考案の開示】
【考案が解決しようとする課題】
【０００５】
前記の考え方では一枚一枚、シートを変えるという手間がかかる上、非効率的で不便である。また、尿などが付着しているシートを一枚一枚取り替えるという作業を行なうにあたって、衛生上好ましくないという問題がありまた、成犬が一日にする放尿の回数は平均５〜６回程度、犬により異なるが、その残尿臭による不快感が残る問題がある。
【０００６】
本考案の目的は、雄犬がする尿を周りに散乱させることなく、また柱や家具、机の脚といった場所での被害を受けない事を向上し、衛生的に回収する事ができるペット用尿吸収ペーパーを提供する事である。
【課題を解決するための手段】
【０００７】
請求項１記載の本考案は、一方面が非透水性処理を施され、多方面が吸水性を有すると共に、この両面間に介在した保水材によりなした長尺ペーパーを一定長さにて切断できる破断目を形成したことで様々な用途で使用できる。
【０００８】
請求項２記載の本考案は、一方面が非透水性処理を施され、多方面が吸水性を有すると共に、この両面間に介在した保水材によりなした長尺ペーパーを一定長さにて切断できる破断目を形成したこで様々な用途で使用でき、また、ペーパー本体を立てられるようになり、室内での放尿がスムーズに可能になる。
【０００９】
請求項３記載の本考案は、一方面が非透水性処理を施され、多方面が吸水性を有すると共に、この両面間に介在した保水材によりなした長尺ペーパーを一定長さにて切断できる破断目を形成したこで様々な用途で使用でき、また、ペーパー本体を立てられるようになり、室内での放尿がスムーズに可能になり、粘着テープによって、本体の形状記憶、さらに、ペーパーのズレ防止等の活用ができる。
【考案の効果】
【００１０】
請求項１により、尿を吸収し使用済みになった際、手間なく瞬時に処理ができる。また、必要な枚数だけを切り離して、他の場所等に使用する事ができる。
【００１１】
請求項２により、本来雄犬が然るべき格好で用を足す事ができ、これにより、雄犬の精神的ストレスを和らげる。または、解消できる。また、床下、柱などに尿をする確率を下げ、腐敗、汚れを防止する事ができる。
【００１２】
請求項３により、筒の形を維持する事ができると共に、ペット用尿吸収ペーパーを切り離して他の場所にて使用する際に家具の柱等に巻きつけてとめておくことが容易にできる。また、壁、床等の場所で使用する際にも、ズレ防止としても使用する事ができる。
【００１３】
請求項２または３により、デッドスペースとなる筒の中心を無駄なく利用できる。こうする事によって、その場所に消臭剤、芳香剤を設置できる。これにより、臭いの強さを緩和し、不快感、嫌悪感を解消する事ができる。
【考案を実施するための最良の形態】
【００１４】
以下本考案の実施の形態を示す図面に基づいて説明する。
【実施例】
【００１５】
図１は尿吸収ペーパー１を示す正面図であり、具体的には一方面が高分子吸収体等からなる吸収紙２と他方面が樹脂コーティング加工等された非透水性面３からなるペーパーを一定長さにて切断できる破断目４を形成していると共に、この両面間に介在した保水材５により構成されている。
図２は、図１記載のペーパーを筒状に巻回したペット用尿吸収ペーパー６である。
図３は、図１記載のペーパーの非透水性処理が施された側面に粘着テープ７が取り付けられているペット用尿吸収ペーパーである。
【図面の簡単な説明】
【００１６】
【図１】（ａ）尿吸収ペーパーを示す正面図である。        （ｂ）図１（ａ）のＡ部の断面図である。
【図２】ペット用尿吸収ペーパーの正面図である。
【図３】（ａ）ペット用尿吸収ペーパー非透水性処理側の正面図。            （ｂ）ペット用尿吸収ペーパー非透水性処理側の正面図。
【符号の説明】
【００１７】
１  尿吸収ペーパー
２  高分子吸収体等からなる吸収紙
３  樹脂コーティング加工等された非透水性面
４  破断目  
５  保水材
６  ペット用尿吸収ペーパー
７  粘着テープ
【図１】
0003113635.tif 000003
【図２】
0003113635.tif 000004
【図３】
0003113635.tif 000005
(57)【要約】【課題】丸洗いした枕を物干し竿に吊して干すことができる丸洗い可能枕を提供する。【解決手段】外袋１１内に洗濯可能な繊維集合体（クッション材１２）を充填し、その外袋１１の開口を縫合１３して閉じ、中心部分を凹ますように外袋１１を縫製して枕１０とし、この枕１０の縁に環状紐１５を縫いつけてなる構成としたもので、上記環状紐１５は、外袋１１の開口を縫合１３して閉じるときに共縫いし、また上記環状紐１５は、外袋１１の生地を裁断したときに生ずる端布により縫製するものである。【選択図】図１
0003113638.tif 000002
【実用新案登録請求の範囲】
【請求項１】
外袋（１１）内に洗濯可能なクッション材（１２）を充填し、その外袋（１１）の開口を縫合（１３）し、中心部分を凹ますように外袋（１１）を縫製して枕（１０）とし、この枕（１０）の縁に環状紐（１５）を縫いつけてなる丸洗い可能枕。
【請求項２】
上記環状紐（１５）は、外袋（１１）の開口を縫合（１３）して閉じるときに共縫いしてなる請求項１に記載の丸洗い可能枕。
【請求項３】
上記環状紐（１５）は、外袋（１１）の生地を裁断したときに生ずる端布により縫製されてなる請求項1または２に記載の丸洗い可能枕。
【考案の詳細な説明】
【技術分野】
【０００１】
この考案は丸洗いして物干し棹に吊り下げやすくした枕に関する。
【背景技術】
【０００２】
丸洗いできる枕の先行技術として特許文献１がある。
【特許文献１】特開平１０−２５７９５２号公報
【考案の開示】
【考案が解決しようとする課題】
【０００３】
上記先行技術は、外袋に詰物を充填し外袋の口を閉じてなるもので、丸洗いできる条件としては、洗濯後の水切れが良く、早く乾燥することであり、乾燥の課程で雑菌が繁殖しないことである。
【０００４】
これまで、幾つかの丸洗いできる枕が市販されているが、洗濯後の乾燥は衣服と違って物干し竿に吊して干すことができず、棹を二本平行に配置し、その上に乗せるとか、箱の開口部に乗せるようにしてきた。
【０００５】
上記のような状況の中で、丸洗いできる枕を干すときに物干し竿に吊して干せるものが求められている。本考案は、上記の状況のもと、丸洗いした枕を物干し竿に吊して干すことができる丸洗い可能枕を提供することを課題とする。
【課題を解決するための手段】
【０００６】
上記課題を解決するためにこの考案は、外袋１１内に洗濯可能なクッション材１２を充填し、その外袋１１の開口を縫合１３し、中心部分を凹ますように外袋１１を縫製して枕１０とし、この枕１０の縁に環状紐１５を縫いつけてなる構成としたもので、上記環状紐１５は、外袋１１の開口を縫合１３して閉じるときに共縫いするものであり、また、上記環状紐１５は、外袋１１の生地を裁断したときに生ずる端布により縫製するものである。
【考案の効果】
【０００７】
上記の如く構成するこの考案は、丸洗い可能枕の縁に環状の紐を設けることにより、枕を物干し竿に吊して乾燥できるようになり、外袋の開口を閉じるときに環状紐を共縫いすることにより工数の増加を抑えることができ、外袋の生地を裁断したときに生ずる端布を利用することにより資材の節約になる。
【考案を実施するための最良の形態】
【０００８】
次にこの考案の実施の形態について図面を参照しながら説明する。図１はこの考案に係る枕の斜視図で、外袋１１の中にはポリエステル繊維（フィラメント）を素材とするクッション材１２を詰め込んで外袋１１の開口を縫合１３している。
【０００９】
上記クッション材１２を詰め込むときは中心部を少なく、周辺部に多く詰め込み中心部を長方形あるいは楕円状に押え縫い１４し、枕１０全体の中心部を凹まして、使用時に後頭部の収まりをよくし、頸部が枕の表面に自然に接するようにしている。
【００１０】
外袋１１の開口を縫合１３するときには、外袋１１の生地を裁断するときにできる端布でもって、筒状に縫って紐１５とし、この紐１５を環状にし、外袋１１の開口を縫合１３するときに共縫いする。なお、端布を用いないで、市販されているテープ状素材を用いて環状にして外袋１１の開口を縫合１３するときに共縫いしてもよい。
【００１１】
紐１５を環状にして、外袋１１の開口を縫合１３するときに共縫いする形態は、図２（ａ）のように枕の短辺側の両端に、同図（ｂ）のように短辺側の片端に、同図（ｃ）のように短辺側の中央に、同図（ｄ）のように長辺側の両端に取付けても良い。また、短辺、長辺の両端ではなく、少し内寄りに取付けてもよい。さらに、同図（ｅ）の通り長辺（短辺）の両端に亘って紐を掛け渡すように取付けてもよい。
【００１２】
上記説明では、外袋内にポリエステル繊維（フィラメント）を詰め込んだが、球形、紡錘形、俵状、略筒状などの形状のものを採用することができる。また、素材としてポリエステルだけでなく、丸洗いができ、乾燥が早く、防カビ性で抗菌性のあるものならば適宜採用することができる。
【産業上の利用可能性】
【００１３】
以上説明したようにこの考案によれば、枕の丸洗いができ、洗濯後の乾燥も、物干し竿に吊して乾燥することができる。また、吊るし干しをするための環状紐は、外袋を裁断したときにできる端布を活用するので経済的で、外袋の開口を縫合するときに環状紐を同時に縫いつけるので工数の増加を抑えることができるので、枕の販路拡大に結びつき産業上の利用価値は大である。
【図面の簡単な説明】
【００１４】
【図１】この考案に係る丸洗い可能枕の斜視図
【図２】環状紐を取付ける例を示すもので（ａ）はその１、（ｂ）はその２、（ｃ）はその３、（ｄ）はその４、（ｅ）はその５である。
【符号の説明】
【００１５】
１０  枕
１１  外袋
１２  クッション材
１３  縫合
１４  抑え縫い
１５  紐（環状紐）
【図１】
0003113638.tif 000003
【図２】
0003113638.tif 000004
(57)【要約】【課題】小型扇風機の取付けをネジを用いることなく、又クランプにて挟むこともなく脱着が出来ると共に、勿論ドライバーの携帯も不要で、且つ道路面の段差にも適応させて小型扇風機が機器から脱落しない様にする。【解決手段】本考案は、小型扇風機の取付座板の左右に２本の長孔を設け、この長孔の一方に締付バンドの基端を固定し、このバンドの先端を他方の長孔に挿入して折り返し、該バンドの基端側に固定してアームを締め付け緊締する。【選択図】図４
0003113631.tif 000002
【実用新案登録請求の範囲】
【請求項１】
小型扇風機の取付座板の左右に設けられた２本の長孔と、この長孔の一方に夫々基端を固定された締付バンドとで成し、このバンドを機器等のアームに巻付けると共に他方の長孔に挿入して折り返してその先端をバンドの基端側に固定し締め付け緊締した小型扇風機の取付装置。
【請求項２】
取付座板に直立取付されると共に小型扇風機の羽根頭部を支持する支柱を、
上下左右方向に撓む可撓性のフレキシブルチューブとし、且つその内孔に多数の金属線を結束して成した芯材及び駆動用電線が挿通されたことを特徴とする請求項１記載の小型扇風機の取付装置。
【考案の詳細な説明】
【技術分野】
【０００１】
本考案は、小型扇風機を簡単に取付け、或は取外し出来る様にしたものに関する。
【背景技術】
【０００２】
一般的に、小型の扇風機は持ち運びが容易なことから、必要に応じ一時的に機器等に脱着し使用している。従ってその取付けは取付金具を直接ネジにて機器等のアームに止めるのが実態である。
而して上記のものであると、ネジ操作用のドライバーを常に機器と一緒に携帯しなければならず、その機器が例えば幼児用のバギーとか、車椅子であると危険性を伴うドライバーの保管及び取扱いに注意を払わなければならない。
そこで、下記文献によると、取付金具にクランプを一体化して装備し、このクランプにてアーム等を挟むものも存在するが、単に挟むだけであるから不安定であり、特に道路上での段差による機器の揺れで脱落する恐れがあった。
【特許文献１】実用新案登録第３０６４９３０号
【考案の開示】
【考案が解決しようとする課題】
【０００３】
本考案の目的は、小型の扇風機の取付けをネジを用いることなく、又クランプにて挟むこともなく脱着が出来ると共に、勿論ドライバーの携帯も不要で、且つ道路面の段差にも適応させる。
【課題を解決するための手段】
【０００４】
小型扇風機の取付座板の左右に２本の長孔を設け、この長孔の一方に締付バンドの基端を固定し、このバンドの先端を他方の長孔に挿入して折り返し、該バンドの基端側に固定してアームを締め付け緊締した小型扇風機の取付装置。
【考案の効果】
【０００５】
請求項１により、小型の扇風機の取付けをネジを用いることなく、又クランプにて挟むこともなく脱着が出来ると共に、勿論ドライバーの携帯も不要で、且つ道路面の段差にも適応できる。又、締付けバンドによる締付けるから機器等のアームの形状、太さに限定されることなく自在に対応できる。
請求項２により、締付バンドにより機器等のアームに強固に締め付け緊締しても、小
型扇風機の送風方向を上下左右方向自在に選択出来るフレキシブルチューブとしたから、特に機器が幼児用のバギーとか、車椅子である時、その乗る人の背丈、或いは屋外での風向きに対応して、小型扇風機の送風方向を適正、且つ簡単に変えることが出来る。
【考案を実施するための最良の形態】
【０００６】
以下本考案を最良の形態である実施例に基づいて説明する。
【実施例】
【０００７】
図１は、小型扇風機を機器等のアームに取付けた正面図で、小型扇風機Ｈは羽根頭部１と、この頭部１を支持する支柱２とでなっている。具体的には支柱２を頭部１が上下左右方向に撓む、所謂可撓性のフレキシブルチューブにて成っており、内孔３に多数の金属線を結束して成した芯材４より成っている。更にこの芯材４と共に羽根頭部１への駆動用電線Тが挿通されている。機器等が幼児用のバギー、車椅子の場合は搭載型バッテリーを電源とする。支柱２の下端にはネジ孔５aを有するボス５が固定されており、このボス５に取付座板６の中央に直立されたネジ棒７にて取付けられている。このネジ棒７の左右には２本の長孔８、９が設けられており、この長孔８、９の一方の長孔８に夫々基端１０ａを固定された締付バンド１０とで成し、このバンド１０を機器等のアーム１１に巻付けると共に他方の長孔９に挿入して折り返してその先端１０ｂをバンド１０の基端１０ａ側に固定し締め付け緊締する。
【０００８】
この締め付け緊締をより強固に保持するためバンド１０の基端１０ａ及び先端１０ｂには軟質合成樹脂にて成型され、且つ互いに突起が圧着係合する所謂、面ファスナー１０ｃを付している。
【０００９】
次に本考案に係る小型扇風機を機器等に取付る順序を説明すると、先ず機器等のアーム１１に小型扇風機Ｈの取付座板６を載置させ、該取付座板６に基端１０ａを固定されている締付バンド１０をそのアーム１１に巻付けると共に、他方の長孔９に挿入して折り返す。その折り返した後、先端１０ｂを基端１０ａ側に固定し締め付け緊締を完了する。
【図面の簡単な説明】
【００１０】
【図１】小型扇風機を機器等のアームに取付けた正面図
【図２】同上の側面図
【図３】取付座板の拡大正面図
【図４】取付座板をアームに締め付け緊締した拡大側面図
【図５】同上の拡大分解斜視図
【図６】羽根頭部を支持する支柱の拡大断面図
【符号の説明】
【００１１】
Ｈ  小型扇風機
１  羽根頭部
２  支柱
３  内孔
４  芯材
６  取付座板
８，９  ２本の長孔
１０  バンド
１０ａ  先端
１０ｂ  基端
１１  アーム
【図１】
0003113631.tif 000003
【図２】
0003113631.tif 000004
【図３】
0003113631.tif 000005
【図４】
0003113631.tif 000006
【図５】
0003113631.tif 000007
【図６】
0003113631.tif 000008
(57)【要約】      （修正有）【課題】スピーカを内蔵し、情報収集を得る機能を設け、安全運転に寄与することにより事故防止を図る。【解決手段】サイドミラー本体１にスピーカ部３を設け、広角鏡または平面鏡２を用い、４は１，２，３を支持するためのフレームで、安定鏡像が確保できるため、危険回避と事故防止に役立つ。【選択図】図１
0003113610.tif 000002
【実用新案登録請求の範囲】
【請求項１】
サイドミラー本体１に、視界を妨げない程度の位置に３スピーカを内臓したことを特徴とするスピーカ内臓サイドミラー。
【考案の詳細な説明】
【技術分野】
【０００１】  本考案は、サイドミラーを利用した二輪車等が走行中に道路等の交通状況等をラジオ等を通じて情報を聴き取るためのスピーカ内臓サイドミラーに関するものである。
【背景分野】
【０００２】  二輪車等は、道路等を走行中に交通状況等の情報を得るためにはトランジスターラジオ等からイヤホンを耳に装着して情報を得るため、周囲の音声情報が遮音されるため周囲の状況判断が欠落し安全対策が困難である。
【考案の開示】
【考案が解決しようとする課題】
【０００３】  スピーカ内臓サイドミラーは道路等を走行中の交通情報等をイヤホンから情報を得るのではなく、スピーカから流れる情報と周囲の音声情報が同時に得られるため、イヤホン装着による外部の音声情報を遮断する欠点を解決しようとするものである。
【考案が解決しようとする手段】
【０００４】  道路を走行中の交通情報等を的確に把握できることで、事故防止を未然に防止ができるため、未確認範囲の欠点を解決するものである。
【考案の効果】
【０００５】  道路を走行中に前方の事故渋滞等の情報を逸早く入手することで、速度の減速または、迂回等の判断が瞬時に行われるため、交通渋滞の回避、巻き添え事故等回避が逸早く行われるため未然に事故防止ができる効果がある。
【考案の効果】
【０００６】  道路を走行中、装着のイヤホンが耳からの脱落またはイヤホンコード類の纏わり等をスピーカ内臓サイドミラーを使用することにより解消し、安全走行に集中できる効果が保たれる。
【実施例】
【０００７】  以下、添付図面に従って一実施例を説明する。１は耐久性材質等適宜素材にて一体化形成されたケースからなり、広角鏡または平面鏡２を用い、３の防滴用スピーカを設け、支持フレーム４でハンドルに固定させる。
【産業上の利用可能性】
【図面の簡単な説明】
【０００８】
【図１】  本考案のスピーカ内臓サイドミラーの一実施例を示した側面図である。
【図２】  スピーカ内臓サイドミラーを示した断面図である。
【符号の説明】
【０００９】  １  サイドミラー本体
２  広角鏡または平面鏡
３  防滴用スピーカ
４  支持フレーム
【図１】
0003113610.tif 000003
【図２】
0003113610.tif 000004
(57)【要約】      （修正有）【課題】のぼり旗が使用時に強い風で巻き上がる事を防ぎ、尚かつ広告宣伝の告知部分の面積を拡大させる。【解決手段】本来幟に使用するチチを使わずに、二枚の生地を重ね合わせて上辺の横袋部に横棒を挿通できるように且つ縦辺の縦袋部に幟竿をそれぞれ挿通することができるように縫製して構成とする。【選択図】図１
0003113609.tif 000002
【実用新案登録請求の範囲】
【請求項１】
上下辺と左右縦辺とよりなる長方形の幟用布地で、この幟用布地の上辺の一方角部に切欠部を形成してこの切欠部が互いに内向きとなる様同形の幟用布地を左右対称に向かい合わせ、更に上辺の残余部を折り返して横袋部を形成すると共に、互いに向い合う左右縦辺の残余部を重ね合わせて縦袋部となる様縫製して幟竿をこの縦袋部に、且つ横棒を横袋部にそれぞれ挿通するように縫製したことを特徴とする幟旗。
【考案の詳細な説明】
【考案の詳細な説明】
【考案が属する技術分野】
【０００１】本考案は宣伝、広告、儀礼、あるいは装飾として用いられる幟旗に関するものである。
【背景技術】
【０００２】従来より幟旗は図６に示す如く  、長方形よりなる幟用布地の上辺と一方縦辺とに布製の輪（図６に示すチチ）を一定の間隔で多数縫い付けこの上辺と縦辺との多数のチチに幟竿を挿通している。しかしながら環状に取り付けたチチは幟旗が強い風を受けるとチチ部とチチ部との間の布地部分は巻き上がり告知及び宣伝文字が見えなくなる事や幟本体にチチを取付けて旗竿に固定する構成だと外観は片側にしか告知及び宣伝文字が表現でないので生地面積も狭く宣伝効率も悪い問題があった。
【考案が解決しようとする課題】
【０００３】しかしながらチチ部を幟旗本体に環状に取り付けて構成するかぎり解決できない。そこで本考案では、上記問題点を解消するためにチチ部を使用せずに幟旗を製作することを目的とするものである。
【課題を解決するための手段】
【０００４】本考案の上記目的は次の如き縫製仕立て及び構成によって達成できる。即ちその要旨は幟旗本体に使用する図３の二枚の生地を図４のように、幟用竿及び幟竿の横棒が挿入する事ができる幅に縫製し、さらに図２で示した捲れ補強ａとｂを併用したことを特徴とする幟旗である。
【考案の効果】
【０００５】２枚の長方形の幟用布地を、その上辺の一方角部に形成された切欠部が互いに内向きとなる様左右対称に向かい合わせ、その上辺の残存部を折り返して横袋部を形成し、更に左右縦辺の残余部を重ね合わせて縦袋部を形成し、それぞれの袋部に幟竿と横棒とを挿通したから、それぞれの袋部が芯状となって、たとえ強い風があっても幟旗が巻き上がる事はない。
【考案を実施するための最良の形態】
【０００６】以下本考案の実施の形態を、その実施例を示す図面を参酌し詳述する。
図３に示すように、上下辺と左右縦辺とよりなる長方形の幟用布地ａ，ｂを使用し、この幟用布地の上辺の一方角部に切欠部を形成してこの切欠部が互いに内向きとなる様同形の幟用布地を左右対称に向かい合わせ、更に図４で示すように上辺の残余部を折り返して図４の（ハ）を形成すると共に、互いに向い合う左右縦辺の残余部を重ね合せて図４の（ニ）となる様ように図４の（ホ）の如く縫製して図５のＴａをこの図４の（ニ）に、且つ図５のＴｂを図４の（ハ）にそれぞれ挿通するように縫製したことを特徴とする幟旗。
【図面の簡単な説明】
【０００７】
【図１】使用状態の参考全体斜図
【図２】使用状態の上部の参考斜図
【図３】幟用布地の分解正面図
【図４】幟旗本体の正面図と背面図
【図５】使用状態の参考正面図
【図６】従来よりの幟旗
【符号の説明】
【０００８】
【図２】
の補強ａ  上部袋縫い部、向かって左側先端をビニール又は強い布で挟んで縫い付け補強を示した図である。
【図２】
の補強ｂ  上部袋縫い部、向かって右側先端に紐を縫い付けて横棒に縛り付けることによって補強を示した図である。
【図３】
のａ  幟用布地の左側
【図３】
のｂ  幟用布地の右側
【図４】
の（イ）  幟用本体の正面図
【図４】
の（ロ）  幟用本体の背面図
【図４】
の（ハ）  横袋部
【図４】
の（ニ）  縦袋部
【図４】
の（ホ）  ミシン目
【図５】
【図６】
のＴａ  幟竿
【図５】
【図６】
のＴｂ  横棒
【図６】
のａ−１  従来の幟旗
【図６】
のＴｉ  チチ
【図１】
0003113609.tif 000003
【図２】
0003113609.tif 000004
【図３】
0003113609.tif 000005
【図４】
0003113609.tif 000006
【図５】
0003113609.tif 000007
【図６】
0003113609.tif 000008
(57)【要約】【課題】  本考案は、携帯用電話機のマイクロホンをマスクに内蔵することにより、マスクに装着する手間が省略でき、かつ安価な防音マスクを得る。【解決手段】  送話者の口或いは口及び鼻を覆う大きさのマスクの内面をフッ素の樹脂薄膜、中間層は防音効果の高いポリウレタン系の素材からなり、その略中央には微小なマイクロホンが内蔵される凹部が穿設され、その外面をパルプ繊維層の３層でマスクを構成した。【選択図】  図１
0003113607.tif 000002
【実用新案登録請求の範囲】
【請求項１】
着脱自在なマイクロホンを備えた携帯用電話機において、前記マイクロホンを送話者の口を覆うマスク本体に内蔵したことを特徴とする防音マスク。
【請求項２】
前記防音マスクの内面は多数の微細な孔が穿設されたフッ素樹脂の薄膜、中間層はポリウレタン系素材、外面はパルプ繊維の３層から構成されてなることを特徴とする請求項１に記載の防音マスク。
【請求項３】
前記防音マスクの中間層にはケ−ブル付マイクロホンが内臓可能な凹部が穿設されていることを特徴とする請求項１及び２に記載の防音マスク。
【考案の詳細な説明】
【技術分野】
【０００１】  本考案は、携帯用電話機の使用者の話し声が周囲に伝わらないように携帯用電話機のマイクロホンを内蔵した防音マスクに関するものである。
【背景技術】
【０００２】  従来、固定電話機の送話用マスク或いは携帯用電話機のマイクロホンを収納する防音マスクは特開平７−２７３８５２号公報に開示されている。
【考案の開示】
【考案が解決しようとする課題】
【０００３】  しかしながら、上記の携帯用電話機のマイクロホンは別部材の防音マスクの放音孔に取り付けられるように構成されているので、微小なマイクロホンを取り付けるための煩わしさ、また別個に保管するので紛失の恐れ等がある。また、マスク本体がプラスチックで形成されているので、コストが高くつく等の不都合が生じる。
そこで、携帯用電話機のマイクロホンを予め送話者の口或いは口及び鼻を覆うマスクに内蔵することにより、前述の不都合を解決すると共にオペレ−タ−が使用する高価なマイクロホン付ヘッドホンに代えて低価格な防音マスクを創案することで解決した。
【課題を解決するための手段】
【０００４】  本考案は、着脱自在なマイクロホンを備えた携帯用電話機において、送話者の口を覆う内面をフッ素樹脂の薄膜、中間層をポリウレタン系素材、外面をパルプ繊維の３層からなる防音マスクを構成し、該マスクの中間層にマイクロホンを内蔵することにより解決した。
【考案の効果】
【０００５】  上述したように、本考案の携帯用電話機の防音マスクは、送話者の口或いは口及び鼻を覆う内面をフッ素樹脂の薄膜、中間層をポリウレタン系素材、外面をパルプ繊維の３層に積層し、その中間層に予めマイクロホンを内蔵したので、マスクに別部材のマイクロホンを装着する手間が省け、直ちに周囲に会話が漏れることなく送話が可能となり、かつ、衛生面からある程度使用したら使い捨てる可能な低コストの防音マスクの提供が可能になった。また、電話交換室においてオペレ−タが個人情報を取り扱う際には、常時使用しているヘッドホンに代えることで会話内容等の秘密が保持される。
【考案を実施するための最良の形態】
【０００６】  送話者の口或いは口及び鼻を覆う大きさのマスクの内面をフッ素樹脂の薄膜、中間層は防音効果の高いポリウレタン系の素材からなり略中央部には微小なマイクロホンが内蔵できる凹部が穿設され、その外面をパルプ繊維等を積層した３層のマスクで構成されているので、マスクの一側辺に接続されているケ−ブルを介してマイクロホンの端子を携帯用電話機の端子に差し込み着用でき、不特定な場所で周囲の者に迷惑を掛けることなく送話ができ、特に個人情報に係る通話内容が漏れることがない。また、花粉症或いは風邪の際にも対症マスクとして有効に利用が出来る。
【実施例】
【０００７】  以下、図面に従って実施例を説明する。
１０は口或いは口及び鼻を覆う防音マスク、１１は送話者の口部に接するフッ素系の樹脂膜、１２は送話者の声が外部に漏れ難い防音効果の高いポリウレタン系の素材からなる中間層、１２Ａは中間層の略中央部で送話者の口部が位置する部分に穿設された凹部、１３はパルプ繊維等の外層である。【０００８】  ２０は携帯用電話機であり、２１は前記電話機の側面に設けられた端子板であり、マイクロホン３０及びイヤホン４０がそれぞれ差し込み可能に構成されている。
マイクロホン３０はケ−ブル３１を介してその先端に差し込みプラグ３２が接続されており、上記マスク１０の中間層１２に穿説された凹部１２Ａに内蔵され、その前後をフッ素系の樹脂膜１１及びパルプ繊維１３で重ね合せ、その四辺を縫合或いは接着されてマイクロホン３０を内蔵した防音マスク１０が構成されている。
なお、マイクロホン３０を内蔵している中間層１２を単体として、市販のガ−ゼマスク等に重ね合わせ防音マスクとしても利用できる。【０００９】  本考案の一実施例は上述のように構成されているので、防音マスク１０を顔面に装着すると共に差込プラグ３２を携帯用電話機２０の端子板２１に差し込むだけの簡単な操作で直ちに送話が可能となり、周辺に送話の声が漏れることがなく、また、オペレ−タ−はヘッドホンに代えて防音マスクを装着することで個人情報に係る送話内容が周囲に漏れることなくセキュリティの保護に役立つのである。
【図面の簡単な説明】
【００１０】
【図１】  本考案の防音マスク及び携帯用電話機の実施例を示す斜視図である。
【図２】  本考案の防音マスクの側断面図である。
【符号の説明】
【００１１】１０    防音マスク
１１    フッ素系樹脂膜
１２    ポリウレタン系素材
１２Ａ  凹部
１３    パルプ繊維
２０    携帯用電話機
２１    端子板
３０    マイクロホン
３１    ケ−ブル
３２    差込ジャック
４０    イヤホン
【図１】
0003113607.tif 000003
【図２】
0003113607.tif 000004
(57)【要約】      （修正有）【課題】手すりや鉄骨などに設置することで、鳩の侵害を防ぎ、鳩糞公害などを防ぐことができる「鳩よけロープ」を提供する。【解決手段】鳩よけロープの両端を柱などに固定し、通称“短冊”を風になびかせることで、鳩などが近づけないようにするものである。【選択図】図１
0003113606.tif 000002
【実用新案登録請求の範囲】
【請求項１】
ロープ本体に、ビニールないしナイロンなどを細長く加工した短冊状のものを固定し、ロープ本体を手すりや梁に固定することで効果を発揮する鳩よけのためのロープ。
【考案の詳細な説明】
【技術分野】
【０００１】  本考案は、ロープに鳩よけの短冊状（または風になびく軽い素材のもの）の仕掛け（以下、短冊）を設けた、鳩よけに関するものである。
【背景技術】
【０００２】  集合住宅のベランダの手すりに、鳩がよく止まっていて鳴き声や糞公害があった。
【考案の開示】
【考案が解決しようとする課題】
【０００３】  鳩による騒音や糞は、その生息地域においては公害に等しい。  この鳩をむやみに駆除することもできず、かといって鳩のなすままにされることは快適な生活の重大な負担になる。  それを解決する為に考案したのがこの鳩よけロープである。
【課題を解決するための手段】
【０００４】  本考案は、ロープ本体に、風の抵抗を受けた際に風になびく短冊を付けることにより、鳩の侵入を防ぐものである。  この短冊が風を受けたときに靡く動きと、音を利用することにより鳩を警戒させて近づけさせないものである。
【考案の効果】
【０００５】  従来、鳩よけというと鳩の着地を防ぐピン状の器具や、ベランダを覆うようなネットを思い浮かべるが。本考案は、ロープとそれに付いたビニールの煽りにより、風を利用して煽りを靡かせ、その動きで鳩の家屋への侵入、および着地を防ぐものである。
ピン状の鳩よけよりも安価で、軽く長さを短くカットすることで調整がしやすく、さらに着脱も簡単なので、手すりに布団を干すこともできる大変、利便性に富んだ考案である。また高所での使用も、万が一落下事故があったとしても、ピン状の鳩よけのような怪我をする事故にはならない安全性も配慮されている。
【考案を実施するための最良の形態】
【０００６】    手すりの上にロープを張り、仕掛けの短冊を手すりに対して直角に左右に広げて使用する。ロープの端は結ぶなどして固定し、ロープが長くなった場合は、市販のフックや別のロープなどで手すりの中央にロープが固定されるようにする。
【実施例】
【０００７】  以下、図に従って一実施例を説明する。  手すりに沿って、手すり上部にロープを張る。その末端は必要に応じてカットするなどして、パイプ等に固定する。  ａの中央の結び目を基点として手すりの外側、内側に短冊が向くように設置する。
【産業上の利用可能性】
【０００８】手すりにつけることを意図して考案したものだが、ＪＲなどの駅の鉄骨にも固定することで使用可能になる。  ロープを一本張ることで鳩だけでなく、小型の鳥類も侵入できなくなるので、ネットと違い、視認性や建物の概観も確保できる。  またピン状の鳩よけの弱点として設置の困難さや、ピンの間に鳥の羽根やゴミが付着して概観に影響を与えていることが多い。またそれを掃除するのは、取り替える以上に困難であるが、この鳩よけロープは張替えも掃除も簡単であり、風の通りがあるところであれば、効力を発揮できるので、鉄道関係の鳥の被害防止にも期待できる。
また短冊のカラーを変えることで、美観を損ねることもなく鳩の着地を妨げることができる。
【図面の簡単な説明】
【０００９】
【図１】本考案のロープを手すりに設置した例を示す図である。
【図２】鳩よけロープと手すりの断面図である。
【符号の説明】
【００１０】  １  ロープ
２  手すり
ａ  短冊。
【図１】
0003113606.tif 000003
【図２】
0003113606.tif 000004
(57)【要約】【課題】側溝４を側溝接続孔２に容易に接続できるコンクリート製集水桝１を提供する。【解決手段】（イ）側溝接続孔２の周囲付近の一部に、直方体状の側溝支持部３を設ける。（ロ）側溝接続孔２の最下部と直方体状の側溝支持部３の最上部との段差の長さＡを、側溝接続孔２に接続する側溝４の底壁５の厚みの長さＢと同じにする。【選択図】  図１
0003113602.tif 000002
【実用新案登録請求の範囲】
【請求項１】
下記の構成を特徴とするコンクリート製集水桝。
側壁に側溝接続孔２を有する、中が空洞の直方体状の集水桝１において、
（イ）側溝接続孔２の下部付近に、直方体状の側溝支持部３を設ける。
（ロ）側溝接続孔２の最下部と直方体状の側溝支持部３の最上部との段差の長さＡを、側溝接続孔２に接続する側溝４の底壁５の厚みの長さＢと同じにする。
【考案の詳細な説明】
【技術分野】
【０００１】  この考案は、側溝支持部を有するコンクリート製集水桝に関するものである。今後、コンクリート製集水桝を、単に集水桝ということにする。
【背景技術】
【０００２】  従来、側溝と集水桝を埋設する工事において、集水桝を固定させた後、側溝を機械で宙吊りにして、集水桝の側壁に設けられている側溝接続孔に側溝を近づけ、最後は作業員が手で接続していた。
【考案の開示】
【考案が解決しようとする課題】
【０００３】  側溝を機械で宙吊りにして、集水桝の側壁に設けられている側溝接続孔に側溝を近づけ、最後は作業員が手で接続していたが、側溝が宙吊りなため不安定で、思うように側溝を側溝接続孔に接続できなかった。
【課題を解決するための手段】
【０００４】  このため、図１、図２に示すような、下記の構成を特徴とする請求項１の集水桝を考案した。
側壁に側溝接続孔２を有する、中が空洞の直方体状の集水桝１において、
（イ）側溝接続孔２の下部付近に、直方体状の側溝支持部３を設ける。
（ロ）側溝接続孔２の最下部と直方体状の側溝支持部３の最上部との段差の長さＡを、側溝接続孔２に接続する側溝４の底壁５の厚みの長さＢと同じにする。
【考案の効果】
【０００５】  本考案を使用すると、側溝４の端部を側溝支持部３に一時載せることができるので、側溝４の安定が図れる。このため、作業員は容易に側溝４を側溝接続孔２に接続できるようになる。
【考案を実施するための最良の形態】
【０００６】  本考案の請求項１の集水桝は次のようになっている。
側壁に側溝接続孔２を有する、中が空洞の直方体状の集水桝１において、
（イ）側溝接続孔２の下部付近に、直方体状の側溝支持部３を設ける。
これは、宙吊りにした側溝４の端部を、側溝支持部３に一時載せるために設けるものである。この側溝支持部３に側溝４の端部を載せると、宙吊りによるぶれがなくなり、作業員が側溝４を側溝接続孔２に容易に接続できりようになる。【０００７】  ここでは側溝支持部３の形状を直方体状にしてあるが、側溝４の端部を載せるところが平面であれば、側溝支持部３の形状は直方体状でなくてもよい。【０００８】（ロ）側溝接続孔２の最下部と直方体状の側溝支持部３の最上部との段差の長さＡを、側溝接続孔２に接続する側溝４の底壁５の厚みの長さＢと同じにする。
これは、側溝４を側溝接続孔２に接続することから自明である。
【実施例】
【０００９】  本考案の実施例を次の手順で説明する。
工程１：集水桝１を地中に埋設し固定させる。
工程２：側溝４を宙吊りにし集水桝１に近づける。
工程３：側溝４の端部を側溝支持部３に載せる。
工程４：側溝４の端部を側溝接続孔２に接続する。
【他の実施例】
【００１０】  図３に示すように、側溝４が挿入できるように、側溝支持部３の形状をコの字溝状にしてもよい。
【図面の簡単な説明】
【００２０】  図１は、請求項１の斜視図である。
図２は、本考案の実施例を示す断面側面図である。
図３は、他の実施例を示す正面図である。
【符号の説明】
【００３０】１集水桝  ２側溝接続孔  ３側溝支持部  ４側溝  ５側溝の底壁  ６側溝支持部
Ａ側溝接続孔２の最下部と直方体状の側溝支持部３の最上部との段差の長さ
Ｂ側溝接続孔２に接続する側溝４の底壁５の厚みの長さ
【図１】
0003113602.tif 000003
【図２】
0003113602.tif 000004
【図３】
0003113602.tif 000005
(57)【要約】【課題】  果樹及び穀物等の農作物に群がる野鳥を追い払う為、天敵の猛禽類の鳥形に  更に効果を高めるため維持費無料の発電電源装置つき鳴動装置を加えた。【解決手段】  群れをなす小鳥の野鳥には天敵である猛禽類の鳥が居る、この猛禽類の鳥形を目的の場所に設置すると小鳥は寄り付かない。しかし、広い所にぽつんと置いても目立たない、これを引き立てるためソーラーセル（５）で発生した電力でアンプを働かせてスピーカー（６）が鳴動し野鳥の注意を引き付け猛禽類の鳥が居ることに気付かせるのが特徴とする。【選択図】        図１
0003113604.tif 000002
【実用新案登録請求の範囲】
【請求項１】
果樹や農作物に被害を及ぼす野鳥を追い払うための案山子であって、野鳥が最も怖れる天敵の猛禽類の精巧な模型を、丁度木や竹の先に止まっているように、木や竹竿等に取り付けるための取り付け金具を設けた野鳥追い払い鳥おどし
【請求項２】
前記鳥形にソーラーセルで発電した電気で一定間隔で鳴き声を発するようにして効果を更に高めた鳥形おどし。
【考案の詳細な説明】
【考案の詳細な説明】
【技術分野】
【０００１】  この考案は果樹や農作物に多大の被害を及ぼす野鳥を追い払うための装置に関するものである。
【背景技術】
【０００２】  丹精込めて作った作物を実りの秋を待たずに持って行かれる鳥害は深刻です。鳴子や爆竹は常時人が番をしなければならず、キラキラ光るテープや大きな目玉が宙に舞うもの等、アイデア工夫も種々あるがどれも今一つ効果が少ない、網を掛ける方法は効果は大きく広く使われているが果樹等には網を掛けることなど不可能である。
【考案が解決しようとする課題】
【０００３】  設置場所を選ばず広い範囲に効果を持ち野鳥を寄せ付けない野鳥おどしを提供しようとするものである。
【課題を解決するための手段】
【０００４】  上述の目的を達成するため、野鳥が最も怖れる天敵の猛禽類の精巧な模型を野鳥から良く見える所に設置する。
【考案の効果】
【０００５】  四方山に囲まれた山間の集落  庭の一隅に一本のさくらんぼの木  数年来一度も実の熟れたものを見たことがなかった。種々野鳥を追い返す試みをしたが全く効果は無かったが桜の木の中央部に梟の模型を一個置いただけで野鳥は寄り付かなくなった。
【考案を実施するための最良の形態】
【０００６】  図面を参考に説明する（１）は猛禽類の模型、（２）は取付け金具、（３）は取付け金具を固定するネジ穴である。【０００７】  上記模型だけでも十分効果はあるが更に広範囲に広めるため猛禽類の声を発声して。野鳥に怖い鳥が居るぞと知らせて寄り付かなくする。【０００８】  上記の発声装置はソーラーセルで発生した電力で作動し簡単なアンプ部スピーカ部からなり、適当な間隔で鳴動し間隔の長短は自由に設定できるようにした。尚、模型は木陰等に設置する場合が多く受光面は日当たりの良い所に設置する。尚、野鳥は晴天は活発に活動するが雨天はあまり活動しないのでソーラーセルで充分である
【産業上の利用可能性】
【０００９】  近年鳥獣害に悩む農家や一般家庭でも庭の花木を荒らす野鳥の被害には頭を悩ませている。この考案は、プラスチック成型等での大量生産が可能で野鳥に食い荒らされる農作物の被害を少しでも減らすことが出来る。
【図面の簡単な説明】
【００１０】
【図１】  この考案の組成の図である。
【図２】  この考案の実施例である。果樹の中におどし鳥形を置いたとき葉陰に見え隠れするのが効果的で、ソーラーセルは日当たり良い所に置くのが好結果がえられる。
【符号の説明】
【００１１】１天敵の猛禽類の鳥形（でき得る限り本物に近い造り）、２取付け金具、３取付けオネジ  ４取付けメネジ、５アンプ内臓ソーラーセル、６電線、７スピーカー、８竹竿等  ９果樹
【図１】
0003113604.tif 000003
【図２】
0003113604.tif 000004
(57)【要約】      （修正有）【課題】ペットボトル等のキャップを高齢者や握力の弱い人でも容易に開閉できるようにすること。【解決手段】ペットボトル等のキャップ上部にトンネル状に穴１を設け、そこに指を通して固定し回すことで、ボトルキャップを握るより力が込めやすくなるため、容易に開閉できる。従来どおりキャップの外周部分を持って開閉も出来るので、きつく閉めたいとき、もしくは初めて開封する時など力を必要とする際に穴１を利用すると良い。また、穴１に指を引っ掛けるようにしてキャップを開けると、開封の際キャップが落下するのを防止することができる。またボトル本体を持ち運ぶ際、穴１に指を通すことで簡単に持ち運びができる。【選択図】図２
0003113605.tif 000002
【実用新案登録請求の範囲】
【請求項１】
ペットボトル等のキャップ上部にトンネル状に穴を設け、開閉の際、そこに指を通すことで、キャップ部分を握るよりも力を込めやすくし、握力の弱い人でも容易に開閉できるようにしたところを特徴とするボトルキャップ。
【考案の詳細な説明】
【技術分野】
【０００１】  本考案は、ペットボトル等のキャップ上部にトンネル状に穴を設けた、ボトルキャップに関するものである。
【背景技術】
【０００２】  従来のペットボトル等のキャップは高齢者や握力の弱い人には、開閉しづらく不便なものであった。
【考案の開示】
【考案が解決しようとする課題】
【０００３】  ペットボトル等のキャップを開閉する際、キャップを握って開閉するという従来の方法はある程度の握力を必要とする。また、キャップ部分は握るにしては小さく、力をこめづらいため開閉しにくい。
【課題を解決するための手段】
【０００４】  本考案はペットボトル等のキャップ上部にトンネル状に穴を設け、開閉の際そこに指を通すことでキャップを固定する。これにより従来のようにキャップを握るより力が込めやすくなるため、握力の弱い人でも開閉が容易になる。
【考案の効果】
【０００５】  上述のようにキャップを開閉する際に、握力の弱い人でも開閉が容易になる。また、キャップ上部の穴に指を引っ掛けるようにして開けると、開封の際、キャップの落下防止にもなる。また、指をフック状にしてキャップ上部の穴に通すことで、本体を持ち運びやすくする効果がある。また、フック状のものに穴部分を引っ掛けて保持するという利用方法もある。
【考案を実施するための最良の形態】
【０００６】  本考案のボトルキャップは、キャップ上部の穴に指を第二関節あたりまで通して、キャップ部分を固定し回すことで開閉する。もう片方の手は従来のペットボトルの開閉方法どおり、ボトル本体を掴み固定し回す。従来どおりキャップの外周部分を持って開閉することも出来るので、きつく閉めたい時、もしくは初めて開封する時など力を必要とする際に穴部分を利用すると効果的である。
【実施例】
【０００７】  以下、添付図面に従って一実施例を説明する。１はトンネル状に設けた穴である。開封する際は、片方の手でボトル本体を掴み固定して回し、もう片方の手の指を穴１に通すことでキャップ部分を固定し、回す。キャップがゆるんできたらキャップの外周部分をもって回し開封する。キャップを閉じる際は、従来どおりキャップの外周部分を持って回して、きつく閉じる際には穴１に指を通してキャップを回す。これでも開閉が困難な場合、穴１の中に鉛筆等の細長い棒状のものを通し、ハンドルのようにして回転させることで少しの力でキャップの開閉が可能になる。
【図面の簡単な説明】
【０００８】
【図１】  本考案の穴付きボトルキャップの一実施例を示す正面図である。
【図２】  本ボトルキャップの正面斜視図である。
【図３】  本ボトルキャップの断面図である。
【符号の説明】
【０００９】    １  トンネル状に設けた穴
２  ボトルキャップ
３  ボトルキャップ下部リング
４  ボトル本体
【図１】
0003113605.tif 000003
【図２】
0003113605.tif 000004
【図３】
0003113605.tif 000005
【手続補正書】
【提出日】平成17年5月31日(2005.5.31)
【手続補正１】
【補正対象書類名】実用新案登録請求の範囲
【補正対象項目名】全文
【補正方法】変更
【補正の内容】
【実用新案登録請求の範囲】
【請求項１】
ペットボトル等のキャップの上部に、トンネル状に穴を設けたところを特徴とするボトルキャップ。
(57)【要約】【課題】  本考案は，藍染生地の魅力をさらに引きたたせる新たな装飾性を加えた布製品を提供する。【解決手段】  本考案は，藍染生地に糸による刺しゅう及びビーズを刺し加えることにより，装飾的効果を高める。【選択図】  図２
0003113608.tif 000002
【実用新案登録請求の範囲】
【請求項１】
綿製の藍染生地に糸を用いたステッチで刺しゅうを施した布を、布製品バッグなどの小物に加工した布製品
【請求項２】
請求項１に記載の布にさらにビーズを加えることにより，より装飾性を高めた布をバッグなどの小物に加工した布製品
【考案の詳細な説明】
【技術分野】
【０００１】  本考案は、藍染生地に糸とビーズにより装飾性のある刺しゅうを施した布による、布製品に関するものである。
【考案の開示】
【考案が解決しようとする課題】
【０００２】  藍染生地は古来より各地で日常に使用されてきたが、近年では比較的高価なものとなっている。意匠においては、縞や格子にさまざまなものがみられるが、その色彩はいわゆる藍色を中心としており、綿素材でもあることから、地味なイメージはぬぐいきれない。そのため、その製品も、エスニック、民芸調といった画一的なとらえ方をされることが多く、用途も限られている。【０００３】  本考案は、本来優れた生地である藍染生地に、さらに手間を加えることによりその魅力が再認識され、新たな用途の提供にも寄与することを課題とするものである。
【考案が解決するための手段】
【０００４】  上記の目的を達成する為、本考案は藍色を中心とした色彩に、より装飾的効果をきわだたせる為に、まず、刺しゅう糸により図柄を刺しゅうする（２）さらにその生地をポーチ、バッグ、ランチョンマットなどの布製品に加工する。
【０００５】  また、より華やかさを加えるために、刺しゅう部分にビーズを加えて刺し（３）、その生地を布製品に加工する。
【考案の効果】
【０００６】  本考案により刺しゅう及びビーズが加えられた藍染生地（１）は、本来の簡素な魅力に加え、華やかな装飾的効果も備えたことにより、新たな魅力を持った製品として提供することができる。
【０００７】  これまで、藍染生地に対して興味が薄かった若い人たちや、外国人からも受入れてもらえるきっかけとなるという効果を有する。
【実施例】
【０００８】  本考案に係る実施例を、図面を参照して説明する。藍染生地（１）に糸を用いて、アウトラインステッチ、ランニングステッチ、クロスステッチ、フレンチノット、レゼーディジーステッチなどの各種ステッチを用いて刺しゅう糸で刺しゅうを施す。（２）【０００９】  図柄によっては、上記刺しゅう生地にさらにシードビーズなどのビーズを、糸を用いて刺し加える。（３）【００１０】  刺し上がった生地を、ランチョンマット、コースター、ポーチ、バッグ、エプロン、ブックカバーなどの製品に手縫いまたはミシン縫いし、場合によっては口金（４）、持ち手などの部品を用いて製品に加工する。【００１１】  上記の実施例は、本考案の一例として製品を示したにすぎず、さらに日用の布製品全般に応用できるものである。
【図面の簡単な説明】
【００１２】
【図１】本考案に係る刺しゅうした藍染生地の布製品の一例を示す、ランチョンマットの表面図である。
【図２】本考案に係る刺しゅうにビーズを加えた藍染生地の布製品の一例を示す、パースの説明図である。
【符号の説明】
【００１３】  １  藍染生地
２  糸を用いた刺しゅう
３  ビーズを用いた刺しゅう
４  口金
【図１】
0003113608.tif 000003
【図２】
0003113608.tif 000004
(57)【要約】      （修正有）【課題】生地を紙にしたハンカチの提供。【解決手段】布のハンカチをキムタオル及び紙を重ねる等、紙を使用する事により乾きが早く不快にならず、使い捨てとなるので不潔にならない。【選択図】図２
0003113300.tif 000002
【実用新案登録請求の範囲】
【請求項１】
従来のハンカチの生地を紙にする。
【考案の詳細な説明】
【考案の開示】
［考案が解決しようとする課題］
【０００１】手を拭くのに布のため不潔になるという問題点があった。
【０００２】手を拭いても乾が早く使い捨になるので不潔にならない。
【０００３】手を拭く不快さがなくなる。
【図面の簡単な説明】
【０００４】［図１］
紙ハンカチを平面にした図である。
［図２］
考案した紙ハンカチの使用状況を示す平面図である。
【符号の説明】
【０００５】１．紙ハンカチの本体
２．使用方法
【図１】
0003113300.tif 000003
【図２】
0003113300.tif 000004
【手続補正書】
【提出日】平成17年1月22日(2005.1.22)
【手続補正１】
【補正対象書類名】実用新案登録請求の範囲
【補正対象項目名】全文
【補正方法】変更
【補正の内容】
【実用新案登録請求の範囲】
【請求項１】
紙からなるハンカチにする